(57)【要約】【課題】ハンドバッグ等に収容して持ち歩く携帯用として小型の電解装置を提供する。【解決手段】タンク部と、前記タンク部に塩化物イオンを供給する塩化物供給手段と、前記タンク部から流入した水を電気分解する少なくとも第１の電極と第２の電極で構成された電解部と、前記電解部に電力を供給する電源部と、第１の電極と第２の電極への電力供給を制御する制御部と、前記電解部で電解された水を噴霧する噴霧部を備える構成とすることで、都度食塩水を水溶液タンクに入れる手間を省くことが可能となる。よって、外出時に塩や食塩水を持ち運ぶ必要がなく、除菌や消臭性能に優れた水を手軽に生成することができる。【選択図】図１
2020063460.tif 000002
【特許請求の範囲】
【請求項１】
水溶液を貯蔵するタンク部と、前記タンク部に塩化物イオンを供給する塩化物供給手段と、前記タンク部から流入した水を電気分解する少なくとも第１の電極と第２の電極で構成された電解部と、前記電解部に電力を供給する電源部と、前記電源部の電力供給を制御する制御部と、前記電解部で電解された水を噴霧する噴霧部を備える構成とした携帯用電解水噴霧器。
【請求項２】
前記塩化物供給手段は、塩化物水溶液を貯蔵する塩化物貯蔵タンクと、前記タンク部内の水溶液を所定の塩化物イオン濃度になるよう前記塩化物水溶液を前記タンク部に所定量添加するポンプとにより構成した請求項１記載の携帯用電解水噴霧器。
【請求項３】
前記塩化物供給手段は、塩化物水溶液を貯蔵する点眼容器で構成された請求項１記載の携帯用電解水噴霧器。
【請求項４】
前記点眼容器は、取り外し可能な構成とし、タンク部に手動で塩化物水溶液を添加する構成とした請求項３記載の携帯用電解水噴霧器。
【発明の詳細な説明】
【技術分野】
【０００１】
本発明は、水を電気分解して活性物質を生成する電解装置に関し、特に、外出時に持ち歩き、任意の部位に電解水を噴霧して、その部位を除菌消臭することに適する携帯用電解水噴霧器に関する。
【背景技術】
【０００２】
病院、人が出入りする施設、あるいは、家庭内で手指等を除菌する機器として、容器に収容した塩素化合物の溶液を電気分解し、次亜塩素酸水を生成して、容器のスプレー部から噴霧する次亜塩素酸生成噴霧器が知られている（特許文献１参照）。
【０００３】
図５は、特許文献１の次亜塩素酸生成噴霧器の平面図である。
【０００４】
特許文献１の次亜塩素酸生成噴霧器は、多量の塩素化合物の溶液を容器に収容し、容器の上端にトリガスプレーを着脱自在に取り付け、０．１ｍｌ〜１ｍｌの塩素化合物の溶液を容器内から汲み上げてノズルから噴霧されるものである。
【０００５】
また、他の機器として、図６に示す電解水噴霧器が知られている（特許文献２参照）。図６に示す電解水噴霧器は、外観を円筒状に形成して、中間部に上面開口の筒状水タンク部１２、下部に電源部１３、上部に噴霧部１４を配置している。水タンク部１２内には、筒状の電解部１５が水タンク部１２の軸方向に配置されている。電解部１５は、内部に電極１６を配置し、下部から流入する水タンク部１２の水を電解してオゾン水を生成する。生成されたオゾン水は、噴霧部１４先端のノズルから噴霧して、除菌する構成となっている。
【０００６】
また、他の機器として、図７に示す電解水噴霧器が知られている（特許文献３参照）。図７に示す電解水噴霧器は、電極２６によって電解溶液を電解して電解水を生成する電解槽２５と、電解槽２５において生成された電解水を手動で噴霧する手動スプレーポンプ（噴霧機構）２３と、電極２６に通電する電源（バッテリ）を容器２２内に収容してなる電解水生成噴霧装置２１において、電解溶液を貯留するタンク２４と電解槽２５を容器２２内に各々独立に設け、タンク２４の下方に電解槽２５を配置するとともに、タンク２４と電解槽２５とを連通路２７によって連通させる。
【先行技術文献】
【特許文献】
【０００７】
【特許文献１】特開２００４−１３０２６３号公報
【特許文献２】特開２０１１−０９２８８３号公報
【特許文献３】特開２００９−１５４０３０号公報
【発明の概要】
【発明が解決しようとする課題】
【０００８】
しかしながら、特許文献１の次亜塩素酸生成噴霧器は、病院、施設、あるいは、家庭の棚等に設置して使用するものであり、図示された全体形態からして大きく、携帯用としては不向きである。また、次亜塩素酸を生成するために必要な塩素化合物の溶液は、使用者が水と塩素化合物を混合して所定の濃度に調整し、容器に入れる必要がある。
【０００９】
特許文献２の電解水噴霧器は、オゾン水を噴霧し、除菌するものである。オゾン水は、酸化力が高く、即効性があるため、手や便座、テーブルなどの除菌を短時間で行え、加齢
臭、カビ臭などの消臭には適している。
【００１０】
しかしながら、オゾン水は、酸化持続性がない。衣類などのファブリック製品に対する除菌の場合、布にオゾンが消費されてしまうため、衣類の除菌や消臭性能の確保が困難であるという課題がある。
【００１１】
また、特許文献３の電解水噴霧装置は、特許文献１同様に図示された全体形態からして大きく、携帯用としては不向きである。さらに、電解水を噴霧装置に入れ替える作業が煩雑、かつ面倒である点は改善されたものの、未だ被電解水であるＮａＣｌ電解溶液は、使用者が水とＮａＣｌを混合させて使用するなど手間がかかっていた。また、ＮａＣｌ容積濃度がばらつくと、生成される次亜塩素酸濃度（遊離塩素濃度）のばらつき原因となり、安定した除菌性能を得ることが困難となっていた。
【００１２】
本発明は、手やテーブル、便座など任意の部位を除菌するとともに、衣類などのファブリック製品や靴などの除菌消臭を行なえる携帯用電解水噴霧器を提供することを目的とする。
【課題を解決するための手段】
【００１３】
上記従来の課題を解決するために、本発明の携帯用電解水噴霧器は、水溶液を貯蔵するタンク部と、前記タンク部に塩化物イオンを供給する塩化物供給手段と、前記タンク部から流入した水を電気分解する少なくとも第１の電極と第２の電極で構成された電解部と、前記電解部に電力を供給する電源部と、前記電源部の電力供給を制御する制御部と、前記電解部で電解された水溶液を噴霧する噴霧部を備えたものである。
【００１４】
本発明によれば、外出時にハンドバッグ等に収容して持ち歩くことが可能な小型化設計と、手やテーブル、便座など任意の部位を除菌するだけでなく、衣類などのファブリック製品や靴などの除菌消臭、さらには、菌の増殖予防による抗菌消臭なども安定した性能を保有可能な電携帯用電解水噴霧器を提供できる。
【発明の効果】
【００１５】
本発明によれば、外出時にハンドバッグ等に収容して持ち歩くことが可能な小型化設計と、手やテーブル、便座など任意の部位を除菌するだけでなく、衣類などのファブリック製品や靴などの除菌消臭、さらには、菌の増殖予防による抗菌消臭も実現可能な電携帯用電解水噴霧器を提供できる。
【図面の簡単な説明】
【００１６】
【図１】本発明の実施の形態１に係る携帯用電解水噴霧器の内部構成を示す断面図
【図２】同電極構成を示す断面図
【図３】同電解用電解水噴霧器の塩化物イオン濃度をパラメータにした印加電流と次亜塩素酸の濃度との相関図
【図４】本発明の実施の形態２に係る携帯用電解水噴霧器の内部構成を示す断面図
【図５】従来の電解水噴霧器の断面図
【図６】従来の携帯用電解水噴霧器の断面図
【図７】従来の電解水噴霧器の断面図
【発明を実施するための形態】
【００１７】
第１の発明は、水溶液を貯蔵するタンク部と、前記タンク部に塩化物イオンを供給する塩化物供給手段と、前記タンク部から流入した水を電気分解する少なくとも第１の電極と第２の電極で構成された電解部と、前記電解部に電力を供給する電源部と、前記電源部の電力供給を制御する制御部と、前記電解部で電解された水を噴霧する噴霧部を備える構成
としたものである。
【００１８】
これにより、タンク部に投入するＮａＣｌ水溶液などの塩化物イオンを含む水溶液を手軽に作ることができるため、外出時にＣｌイオンを含む溶液や固体を持ち運ぶ必要がなく手間を省くことができる。
【００１９】
第２の発明は、塩化物供給手段は、塩化物水溶液を貯蔵する塩化物貯蔵タンクと、前記タンク部内の水溶液を所定の塩化物イオン濃度になるよう前記塩化物水溶液を前記タンク部に所定量添加するポンプとで構成したものである。
【００２０】
これにより、手軽にタンク部内に塩化物イオンを供給することができるとともに、タンク部内の塩化物イオン濃度のばらつきを抑制することができるため、電解部で生成される活性主濃度、例えば次亜塩素酸濃度（遊離塩素濃度）のばらつきを抑制し、安定した除菌・消臭性能を得ることが可能となる。
【００２１】
第３の発明は、塩化物供給手段は、塩化物水溶液を貯蔵する点眼容器で構成したものである。
【００２２】
これにより、ポンプを使用することなく簡単かつ小型な構成で塩化物イオンをタンク部に供給することが可能となる。
【００２３】
第４の発明は、点眼容器を取り外し可能な構成とし、タンク部に手動で塩化物水溶液を添加する構成としたものである。
【００２４】
これにより、より小型な構成で塩化物イオンをタンク部に供給することが可能となるとともに、取り外し可能な構成のため点眼容器の清掃性も向上することが可能となる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態に係る携帯用電解水噴霧器の内部構成を示す断面図である。図２は、同電解部の構成を示す断面図である。
【００２７】
図１において、本実施の形態では、電解装置１は、外観形状が筒状、あるいは四角形に形成されている。電解装置１の断面形状は、円筒形、楕円形、多角形等の任意の形状を選択できる。
【００２８】
電解装置１は、水溶液を貯蔵するタンク部２と、タンク部２に隣接し、タンク部２に塩化物イオンを供給する塩化物供給手段８を設けている。タンク部２の下部には、制御部７を設けている。制御部７は、電源部３からの供給電力を所定の電流や電圧に制御し、タンク部２内に設けた電解部５に印加し、電解水を生成する。タンク部２の上部には、プッシュ式の噴霧部４を配置し、電気分解で生成した電解水を噴霧する。
【００２９】
本実施の形態では、電解装置１の外観形状は、タンク部２と電源部３の外観が、略同じ四角形に形成している。
【００３０】
図１に示すように、タンク部２の中央部には、筒状の電解部５がタンク部２の軸方向に配置されている。電解部５は、タンク部２の水が下部の流入孔から流入し、上面開口からプッシュ式の噴霧部４へ流出する。このため、電解装置１は、噴霧部４を上にした垂直状
態において、電解部５とタンク部２の水位が同レベルとなる構成である。
【００３１】
さらに、タンク部２に隣接する塩化物供給手段８は、高濃度の塩化物イオンを含む水溶液を貯蔵する塩化物貯蔵タンク８ａと、塩化物イオンを含む水溶液をタンク部２に供給するポンプ８ｂで構成される。ポンプ８ｂは、ポンプ電源９が使用者によってＯＮされたことを検知すると、タンク部２内の水溶液が所定濃度の塩化物イオンになるように、塩化物貯蔵タンク８ａ内の水溶液をタンク部２内へ供給する。
【００３２】
使用方法としては、使用者がタンク部２に所定量の水を入れ、ポンプ電源９を入れると動作し、塩化物貯蔵タンク８ａ内の水溶液を所定量供給する構成となっている。
【００３３】
本実施の形態において、塩化物貯蔵タンク８ａには、塩化物イオンを含む水溶液として生理食塩水を貯蔵している。
【００３４】
電解部５は、塩化物貯蔵タンク８ａ内部の水に浸るように、電解水を生成するための電解水生成用の電極６が収容されている。
【００３５】
図２に、電解部５の構成を示す。
【００３６】
電解水生成用の電極６は、第１の電極６Ａと第２の電極６Ｂから構成される。本実施の形態において、第１の電極６Ａは、次亜塩素酸を発生する白金イリジウム系もしくは白金ロジウム系の電極を用い、第２の電極６Ｂは、耐食性に優れるＴｉ基板を用いている。
【００３７】
電解部５は、筒状体５Ｐ内に、第１の電極６Ａと第２の電極６Ｂが所定間隔で収容された構成であり、第１の電極６Ａと第２の電極６Ｂとの間が水の流通路となる電解室５Ｓを構成している。第１の電極６Ａと第２の電極６Ｂ間の電解室５Ｓ以外の部分に水が存在すると、水は、オゾンや塩素物質を含んでいない水となり、水がプッシュ式の噴霧部４から噴霧されると、除菌効果が損なわれる。電解室５Ｓ以外の部分に水が存在するのを防止するために、電解部５は、第１の電極６Ａと第２の電極６Ｂ間以外の部分を水が流れないようにシール構成としている。
【００３８】
電極６は、第１の電極６Ａと第２の電極６Ｂが電解装置１の軸方向、即ち、タンク部２タンク部２の軸方向に平行に収容される。電極６は、２枚乃至５枚の第１の電極６Ａと第２の電極６Ｂで構成される。１枚の第１の電極６Ａと１枚の第２の電極６Ｂの一対で構成することもできる。
【００３９】
本実施の形態では、電解水を効果的に生成するために、電極６の好ましい形態として、１枚の第１の電極６Ａの両側に第２の電極６Ｂを所定間隔で配置する構成としている。
【００４０】
本実施の形態において、第１の電極６Ａの両側に第２の電極６Ｂを配置し、第１の電極６Ａと第２の電極６Ｂは、絶縁材のスペーサ５Ｂにより第１、第２の電極６Ａ、６Ｂ間に略均一な所定間隔（０．１ｍｍ〜１ｍｍ）を存して対向配置して構成される。第２の電極６Ｂの電気分解に作用しない非対向面は、絶縁材からなる筒状体５Ｐで覆われている。筒状体５Ｐは、合成樹脂製の熱収縮チューブで構成しており、加熱により熱収縮チューブを収縮させることによって、熱収縮チューブが第２の電極６Ｂの周囲に密着し、筒状体５Ｐが形成される。
【００４１】
これによって、第１の電極６Ａと第２の電極６Ｂとの間に、水の流通路となる電解室５Ｓが形成される。電解室５Ｓに存在する水を電気分解して、次亜塩素酸を含む水を発生させ、各々の電解水を効果的に生成することができる。
【００４２】
なお、制御部７は、電源部３から第１の電極６Ａおよび第２の電極６Ｂへの電力供給を噴霧部４の作動時のみ行うよう制御する。これにより、噴霧される次亜塩素酸水の濃度が動作時間で変動することなく、安定して生成することが可能となる。
【００４３】
また、制御部７は、使用者が噴霧部４を動作させたことを噴霧部４内に設置した静電容量センサや導電スイッチなどで検知し、電解部５内の第１の電極６Ａおよび第２の電極６Ｂへの電力供給を所定時間供給するようにしてもよい。このようにすることで、噴霧部４の動作スピードに依存せず、安定した濃度の次亜塩素酸を生成することができる。
【００４４】
本実施の形態１において、第１の電極６Ａは、次亜塩素酸発生電極として、電極触媒を白金とイリジウムの合金層からなる電極触媒を使用している。第１の電極６Ａを陽極、第２の電極６Ｂとして電力を供給した場合の電気分解による次亜塩素酸の生成メカニズムについて簡単に説明する。
【００４５】
タンク部２内の水溶液中に含まれる塩化物イオンは、第１の電極６Ａで酸化されて塩素を発生する（化１）。発生した塩素は一部水と反応して次亜塩素酸を生成する（化２）。
【００４６】
（化１）  ２Ｃｌ―  →Ｃｌ２+２ｅ-
（化２）  Ｃｌ２+Ｈ２Ｏ  →  ＨＣｌ+ＨＣｌＯ
よって、生成される次亜塩素酸は、タンク部２内の水溶液の塩化物イオン濃度によって濃度が変化する。
【００４７】
図３は、タンク部２内の塩化物イオン濃度と制御部７から第１の電極６Ａと第２の電極６Ｂに印加する印加電流を可変させた際の次亜塩素酸濃度を示している。
【００４８】
制御部７からの印加電流は、０．０５Ａ〜０．３Ａとし、塩化物貯蔵タンク８ａに貯蔵した生理食塩水０．８％ＮａＣｌの供給量を塩化物供給手段８としてポンプ８ｂにより制御して、タンク部２内に添加してタンク部２内の塩化物イオン濃度を調整した。
【００４９】
図３に示すように、塩化物イオン濃度が高いほど同じ印加電流でも生成される次亜塩素酸濃度が高いことが確認できた。よって、制御部７で印加電流を一定にした場合、タンク部２内の塩化物イオン濃度がばらつくと、生成される次亜塩素酸濃度もばらつくことが分かる。
【００５０】
本実施の形態では、ポンプ８ｂによりＮａＣｌ溶液添加量を常に一定に供給することが可能となるため、安定した次亜塩素酸濃度を生成することが可能となる。
【００５１】
また、塩化物貯蔵タンク８ａ内を高濃度のＮａＣｌ溶液にすることで、タンク部２内へのＮａＣｌの添加量は微量となるため、最初に塩化物貯蔵タンク８ａに高濃度のＮａＣｌをいれておけば、タンク部２には水をいれるだけでよいので、外出時でも手軽に電解水を生成することができる。
【００５２】
なお、第１の電極６Ａは、白金単体でも次亜塩素酸を生成するが、イリジウムとの合金層とすることによって、次亜塩素酸の生成効率を向上することが可能である。本実施の形態１においては、白金を６０％、イリジウムを４０％配合した電極触媒を使用した。本材料組成にすることによって、白金のみに比べ、次亜塩素酸の生成効率を約３．５倍に向上することが可能となった。これは、酸素過電圧が低下したためと推察している。
【００５３】
なお、第１の電極６Ａの電極触媒は、上記以外に、例えば、白金とロジウムの合金層か
らなる電極触媒や、貴金属または貴金属酸化物を含んでもよい。
【００５４】
また、制御部７は、印加電圧、電流の可変だけでなく、第１の電極６Ａと第２の電極６Ｂの極性を変更させることも可能である。本構成にすることで、第１の電極６Ａで生成される活性種だけでなく、第２の電極６Ｂで生成可能な活性種も生成することができる。
【００５５】
第２の電極６Ｂは、Ｔｉ基板で構成したが、オゾンを生成可能となるように、Ｔｉ基板の上に電極触媒としてタンタル酸化物を形成してもよい。
【００５６】
第２の電極６Ｂにおいて、電極触媒にタンタル酸化物を用いたことによるオゾン生成のメカニズムについて説明する。
【００５７】
第２の電極６Ｂは、電極触媒であるタンタル酸化物の表面と洗浄水との界面に、薄い空乏層が形成される。水の電気分解により、第２の電極６Ｂの反応で生成された電子は、酸化タンタル表面に形成された空乏層をトンネル効果により通過する。
【００５８】
これにより、電子の授受が行われる電位が、オゾンの酸化還元電位以上になる。その結果、オゾンの生成反応が、より効率的に行われ、オゾンが生成可能になると考えられる。
【００５９】
なお、第２の電極６Ｂのオゾン生成用の電極触媒として、例えば、二酸化鉛、ダイヤモンド、白金などを用いることが考えられる。しかし、鉛の場合、環境や人体への影響が懸念される。また、ダイヤモンドや白金などの場合、コスト高や、オゾンの生成効率が低いなどの問題がある。
【００６０】
そこで、本実施の形態１では、電極触媒として、タンタル酸化物を用いることとした。
【００６１】
タンタル酸化物は、白金と比較して、低電流密度でのオゾン生成が可能である。また、タンタル酸化物は、電流密度が低いほどオゾンの生成効率が高まるという特長を有している。さらに、タンタル酸化物は、高い酸素過電圧を有する。そのため、低い電圧で酸素を発生させることなく、例えば、１．５Ｖ程度を超える程度の電圧で、オゾンを発生させることができる。特に、白金と比べ、タンタル酸化物は、１／４程度の電力でオゾンを生成することができ、電池や充電池で動作させることが可能となり、携帯用電解水噴霧器に適している。なお、第２の電極６Ｂの電極触媒は、タンタル酸化物と白金で構成しても同様の効果を得ることが可能である。
【００６２】
以上の構成によって、本実施の形態の携帯用電解水噴霧器は、次亜塩素酸水とオゾン水の両方を選択して生成することが可能である。
【００６３】
特に、オゾンは、高い酸化力と即効性を有するため、例えば、酸化分解が困難な加齢臭の主成分となるノネナールやカビ臭、さらには、皮脂成分を酸化分解することが可能である。さらに、便座やテーブル、手、玩具などに付着した菌も短時間で除菌することが可能となる。
【００６４】
本実施の形態において、大腸菌を付着させたシャーレに、オゾン水と次亜塩素酸水をそれぞれ１ｍｌ噴霧させ、５秒放置後の除菌効果を評価した。その結果、オゾン水は、０．２ｐｐｍで９９％以上の除菌率を達成するのに対し、次亜塩素酸は、オゾン水の１０倍の濃度の２ｐｐｍでも９９％除菌を達成するのは困難であった。
【００６５】
次に、大腸菌を付着させた布に、オゾン水と次亜塩素酸水をそれぞれ１ｍｌ噴霧させ、３０分放置後の除菌効果を評価した。その結果、１ｐｐｍのオゾン水では、９９％の除菌
は困難であったが、１８ｐｐｍの次亜塩素酸水は、９９％以上の除菌を達成した。
【００６６】
タバコ臭をしみこませた布に、オゾン水と次亜塩素酸水をそれぞれ１ｍｌ噴霧させ、３０分放置後の消臭効果を評価した。その結果、オゾン水では、消臭効果は確認できなかったが、次亜塩素酸水は、消臭効果が確認され、市販の衣類消臭剤と同等効果を得ることができた。
【００６７】
電解装置１は、長期間使用している間に、電極６の表面にカルシウム等のスケールが付着して、電気分解作用が阻害される。電気分解作用の阻害を抑制するため、時々、噴霧部４をタンク部２から外し、タンク部２内に水とクエン酸を入れて、タンク部２内をクエン酸によって洗浄することにより、電極６の表面に付着したカルシウム等のスケールを取り除くことができる。
【００６８】
また、他のスケール除去方法として、制御部７によって、第１の電極６Ａと第２の電極６Ｂに印加する電力極性を反転させることにより、第１の電極６Ａや第２の電極６Ｂにスケール成分が付着することを抑制することも可能である。
【００６９】
これは、第１の電極６Ａを陽極、第２の電極６Ｂを陰極に接続して電力を印加して電気分解した際に、被処理水中に含まれるカルシウムやマグネシウムなどの陽イオンを、電気的に引き寄せることになる。つまり、電気分解することによって、第２の電極６Ｂの表面は、アルカリ性になる。被処理水中のカルシウムやマグネシウムは、水酸化カルシウムや水酸化カルシウムとして、第２の電極６Ｂの表面に析出する。あるいは、炭酸イオンとの反応により、カルシウムやマグネシウムは、炭酸カルシウムや炭酸マグネシウムとして、第２の電極６Ｂの表面に付着する。
【００７０】
そこで、第１の電極６Ａと第２の電極６Ｂに印加する電力の極性を制御部７によって反転して電気分解することにより、第２の電極６Ｂの表面に生成される水酸化カルシウムや水酸化カルシウム、炭酸カルシウムや炭酸マグネシウムなどのスケール成分の生成および付着などを抑制できる。
【００７１】
また、第２の電極６Ｂの表面に付着したスケール成分を除去できる。具体的には、電極６の転極により、電極近傍のｐＨが強酸性になる。そのため、電極６表面に析出したスケールの溶解、もしくは、電極界面から剥離させてスケールを電極６表面から除去することができる。よって、スケールの電極付着を抑制できるため、スケール付着による閉塞を防ぎ、スケール付着による電極性能の劣化を抑制可能となり、安定した性能と耐久性を確保することができる。
【００７２】
なお、本実施の形態１において、第２の電極６Ｂとしてオゾン発生電極の電極触媒をタンタル酸化物で構成したが、ダイヤモンド電極などを使用しても良い。
【００７３】
また、第２の電極６ＢとしてＡｇイオンを生成するためにＡｇ基板を電極として使用してもよい。Ａｇを含む金属基板や電極触媒でも同様の効果を得ることができる。さらに、Ａｇ以外に、Ｃｕ、Ｚｎ金属を含む基板や貴金属酸化物あるいは金属触媒でも同様の効果を得ることができる。
【００７４】
（実施の形態２）
図４は、本発明の第２の実施の形態における携帯用電解水噴霧器の構成図を示すものである。
【００７５】
図４において、実施の形態１と異なる点は、塩化物供給手段８を、塩化物水溶液を貯蔵
する点眼容器８Ｃで構成するとともに、電解装置１から取り外し可能な構成としたことにある。本構成においては、自動でタンク部２に塩化物イオンを供給するポンプ８ｂを廃止し、手動で点眼容器８Ｃからタンク部２塩化物水溶液を添加する構成とした。
【００７６】
点眼容器８Ｃは、容器を軽い力で直接押すことにより液を滴下させるとともに、容器復元時には、圧力弁の開口からの液漏れを防止するものである。
【００７７】
構成としては、液を収容する可撓性の容器本体、及び該容器本体に設けられ、容器本体に収容されている薬液を吐出させるための吐出口を備えた点眼用容器が用いられる。本容器では、容器本体を押圧して変形させ、容器本体の内圧が大気圧より高くなるときに、吐出口より薬液を吐出させる。次いで、容器本体を押圧から解除して、容器本体の内圧が大気圧より低くなるときに、吐出口から外部空気を流入させて、容器本体を押圧前の形に復元させることで一定量を添加する構成としている。
【００７８】
本構成にすることによって、ポンプ８ｂやポンプ電源９を除去することができるため、電解装置１を小型・軽量化することができ、携帯用として便利である。
【００７９】
また、本実施の形態２において、点眼容器８ｃは、電解装置１に窪みを設けて、その中に設置するような構成としたが、点眼容器８ｃをストラップのように取り付けることで、より小型化を実現することも可能である。
【００８０】
また、点眼容器８ｃを着脱可能な構成とすることで、点眼容器８ｃの清掃性も向上することが可能となる。
【産業上の利用可能性】
【００８１】
本発明に係る携帯用電解水噴霧器は、上記実施の形態に示した構成に限定されず、種々の形態のものに適用できるものであり、本発明の技術範囲において種々の形態を包含するものである。
【符号の説明】
【００８２】
１  電解装置
２  タンク部
３  電源部
４  噴霧部
５  電解部
５Ｓ  電解室
６  電極
６Ａ  第１の電極
６Ｂ  第２の電極
７  制御部
８  塩化物供給手段
８ａ  塩化物貯蔵タンク
８ｂ  ポンプ
９  ポンプ電源
【図１】
2020063460.tif 000003
【図２】
2020063460.tif 000004
【図３】
2020063460.tif 000005
【図４】
2020063460.tif 000006
【図５】
2020063460.tif 000007
【図６】
2020063460.tif 000008
【図７】
2020063460.tif 000009